(57)【要約】      （修正有）【課題】これまで確保されてきたセキュリティ効果を一切損なうことなく、紛失、毀損しても簡易に再発行可能であり、なおかつ多人数での使用に対応できる鍵を使用したエレベータのセキュリティシステム及びその制御方法を提供する。【解決手段】建物への入退館に関する許可条件の情報を有する情報コードＩＣが保持され、一定期間のみ利用可能な認証媒体３と、認証媒体３を発行する情報コード発行機と、認証媒体３に示される情報コードＩＣを読み取る情報コード読取機と、情報コード読取機によって読み取られた情報コードＩＣの内容が有効であるか否かを判定し、有効である場合に情報コードの内容に基づいて乗りかご１の昇降を制御するエレベータ制御装置２とを備える。【選択図】図１
2011153002.tif 000002
【特許請求の範囲】
【請求項１】
建物への入退館に関する許可条件の情報を有する情報コードが保持され、一定期間のみ利用可能な認証媒体と、
前記認証媒体を発行する情報コード発行機と、
前記認証媒体に示される前記情報コードを読み取る情報コード読取機と、
前記情報コード読取機によって読み取られた前記情報コードの内容が有効であるか否かを判定し、有効である場合に前記情報コードの内容に基づいて乗りかごの昇降を制御するエレベータ制御装置と、
を備えることを特徴とするエレベータのセキュリティシステム。
【請求項２】
前記情報コード発行機は、前記建物の玄関、各階のエレベータホール、各居室内にそれぞれ設置されていることを特徴とする請求項１に記載のエレベータのセキュリティシステム。
【請求項３】
前記情報コード発行機近傍には、前記建物への訪問者と前記建物内の居住者との連絡に使用されるインターフォンとカメラが設置されていることを特徴とする請求項１または請求項２に記載のエレベータのセキュリティシステム。
【請求項４】
前記エレベータ制御装置は、前記インターフォンと前記カメラから得られた情報を該当する前記情報コードの内容と関連づけて記憶することを特徴とする請求項３に記載のエレベータのセキュリティシステム。
【請求項５】
前記建物の管理者の駐在場所には、前記管理者と前記訪問者との連絡に使用されるインターフォンと、前記カメラによって撮影される前記訪問者を映し出すモニタと、前記認証媒体の発行を許可する許可スイッチとが設置されていることを特徴とする請求項１ないし請求項４のいずれかに記載のエレベータのセキュリティシステム。
【請求項６】
建物の居住者が認証した前記建物への入退館に関する許可条件の情報を有する情報コードが保持され、一定期間のみ利用可能な認証媒体を訪問者に対して情報コード発行機が発行するステップと、
前記認証媒体に記載された前記情報コードを玄関に設置された情報コード読取機が読み取るステップと、
前記情報コード読取機によって読み取られた前記情報コードの内容が有効であるか否かを判定し有効である場合に、エレベータ制御装置が内玄関を開くステップと、
前記認証媒体に記載された前記情報コードをエレベータホールに設置された情報コード読取機が読み取るステップと、
前記情報コード読取機によって読み取られた前記情報コードの内容が有効であるか否かを判定し有効である場合に、前記エレベータ制御装置が乗りかごを玄関階に移動させ戸開させるステップと、
前記認証媒体に記載された前記情報コードを前記乗りかごに設置された情報コード読取機が読み取るステップと、
前記情報コード読取機によって読み取られた前記情報コードの内容が有効であるか否かを判定し有効である場合に、前記エレベータ制御装置が前記乗りかごを昇降させて前記訪問者を前記居住者が居住する訪問階まで移動させるステップと、
を備えることを特徴とするエレベータのセキュリティシステムの制御方法。
【請求項７】
建物の居住者が訪問者と応答した場合に、前記居住者が認証した前記建物への入退館に関する許可条件の情報を有する情報コードが保持され、一定期間のみ利用可能な認証媒体を訪問者に対して情報コード発行機が発行するステップと、
前記認証媒体に記載された前記情報コードを訪問階のエレベータホールに設置された情報コード読取機が読み取るステップと、
前記情報コード読取機によって読み取られた前記情報コードの内容が有効であるか否かを判定し有効である場合に、エレベータ制御装置が乗りかごを前記訪問階に移動させ戸開させるステップと、
前記認証媒体に記載された前記情報コードを前記乗りかごに設置された情報コード読取機が読み取るステップと、
前記情報コード読取機によって読み取られた前記情報コードの内容が有効であるか否かを判定し有効である場合に、前記エレベータ制御装置が前記乗りかごを昇降させて前記訪問者を玄関階まで移動させるステップと、
を備えることを特徴とするエレベータのセキュリティシステムの制御方法。
【請求項８】
前記居住者が前記訪問者に応答しなかった場合に、前記認証媒体に記載された情報コードを基に前記訪問者の言動を特定するステップと、
前記特定された訪問者の言動と前記情報コードの内容とから前記訪問者が不審者であるか否かを判断するステップと、
前記判断の結果、前記訪問者が不審者ではない場合、前記訪問者の近傍に設置されている前記情報コード発行機が前記訪問者に対して、退館に関する許可条件の情報を表わす情報コードが記載された使い捨て可能な前記認証媒体を発行するステップと、
前記判断の結果、前記訪問者が不審者である場合には、通報を行うステップと、
を備えることを特徴とする請求項７に記載のエレベータのセキュリティシステムの制御方法。
【発明の詳細な説明】
【技術分野】
【０００１】
本発明は、エレベータのセキュリティシステム及びその制御方法に関する。
【背景技術】
【０００２】
従来からマンション等の集合住宅においては、この建物に住む居住者以外の者は居住者の許可がなければ基本的に立ち入ることはできないこととしてその建物におけるセキュリティを確保している。一方で、居住者は自身が持つ鍵を用いてセキュリティを解除することで自由に建物への入退館ができるようにされている。
【０００３】
居住者が持つ鍵は、金属の鍵状のものやカード状のもの等、様々なタイプが見受けられる。また、居住者は複数鍵を持ち、家族が適宜それらの鍵を使用することになる。
【０００４】
さらには、訪問者が尋ねてきた場合には、居住者が居室内から訪問者を確認した上で遠隔操作によって建物の玄関扉の戸開動作を行うことも多く見受けられる。この場合、居住者が訪問者を確認して入館の可否を判断することによって、建物におけるセキュリティを確保している。訪問者の入館時におけるセキュリティ確保の方法の一例については、以下に示す特許文献１においても示されている。
【０００５】
特許文献１における発明では、鍵発行部は、利用者の操作によって許可申請情報が入力された際に、その許可申請情報が有効であるかどうかを判定し、入力された許可申請情報が有効であると判定された場合に、通信回線を介して記録媒体に鍵情報を送信し記録させる。ここで想定されている記録媒体とは、携帯電話である。この携帯電話には無線ＩＣタグが組み込まれており、発行された鍵情報（電子キー情報）は電子メールに添付された状態でインターネット回線を介して送信される。そしてこの無線ＩＣタグに記録される。
【０００６】
これによって、セキュリティー性を保ちつつ利便性を向上させることができる。
【先行技術文献】
【特許文献】
【０００７】
【特許文献１】特開２００７−１３１４３４号公報
【発明の概要】
【発明が解決しようとする課題】
【０００８】
特許文献１に開示されたエレベータの防犯システムでは、居住者を訪問する訪問者が携帯電話を所持している必要がある。確かに、昨今に事情を勘案すれば携帯電話を所持していない者は少数であり、その点からは有効な防犯システムであるとも考えられる。
【０００９】
しかしながら、そもそも携帯電話を所持していない者や携帯電話を使用してメールを行わない者にとっては利用できないシステムである。また、携帯電話に無線ＩＣタグが組み込まれていることも条件となると防犯の効果は限定的である。さらには、訪問者が携帯電話を忘れてしまった場合には不便である。
【００１０】
一方、上述したこれまでの鍵を使用する場合、家族で使用できる利便性はあるものの、例えば子供に携帯させて紛失、或いは毀損してしまうと、その再発行等に手間が掛かる。また、訪問者がある場合に一時的に鍵を用意することは基本的に困難である。
【００１１】
本発明は上記課題を解決するためになされたものであり、本発明の目的は、これまで確保されてきたセキュリティ効果を一切損なうことなく、紛失、毀損しても簡易に再発行可能であり、なおかつ多人数での使用に対応できる鍵を使用したエレベータのセキュリティシステム及びその制御方法を提供することである。
【課題を解決するための手段】
【００１２】
本発明の実施の形態に係る第１の特徴は、エレベータのセキュリティシステムにおいて、建物への入退館に関する許可条件の情報を有する情報コードが保持され、一定期間のみ利用可能な認証媒体と、認証媒体を発行する情報コード発行機と、認証媒体に示される情報コードを読み取る情報コード読取機と、情報コード読取機によって読み取られた情報コードの内容が有効であるか否かを判定し、有効である場合に情報コードの内容に基づいて乗りかごの昇降を制御するエレベータ制御装置とを備える。
【００１３】
本発明の実施の形態に係る第２の特徴は、エレベータのセキュリティシステムの制御方法において、建物の居住者が認証した建物への入退館に関する許可条件の情報を有する情報コードが保持され、一定期間のみ利用可能な認証媒体を訪問者に対して情報コード発行機が発行するステップと、認証媒体に記載された情報コードを玄関に設置された情報コード読取機が読み取るステップと、情報コード読取機によって読み取られた情報コードの内容が有効であるか否かを判定し有効である場合に、エレベータ制御装置が内玄関を開くステップと、認証媒体に記載された情報コードをエレベータホールに設置された情報コード読取機が読み取るステップと、情報コード読取機によって読み取られた情報コードの内容が有効であるか否かを判定し有効である場合に、エレベータ制御装置が乗りかごを玄関階に移動させ戸開させるステップと、認証媒体に記載された情報コードを乗りかごに設置された情報コード読取機が読み取るステップと、情報コード読取機によって読み取られた情報コードの内容が有効であるか否かを判定し有効である場合に、エレベータ制御装置が乗りかごを昇降させて訪問者を居住者が居住する訪問階まで移動させるステップとを備える。
【００１４】
本発明の実施の形態に係る第３の特徴は、エレベータのセキュリティシステムの制御方法において、建物の居住者が訪問者と応答した場合に、居住者が認証した建物への入退館に関する許可条件の情報を有する情報コードが保持され、一定期間のみ利用可能な認証媒体を訪問者に対して情報コード発行機が発行するステップと、認証媒体に記載された情報コードを訪問階のエレベータホールに設置された情報コード読取機が読み取るステップと、情報コード読取機によって読み取られた情報コードの内容が有効であるか否かを判定し有効である場合に、エレベータ制御装置が乗りかごを前記訪問階に移動させ戸開させるステップと、認証媒体に記載された情報コードを乗りかごに設置された情報コード読取機が読み取るステップと、情報コード読取機によって読み取られた情報コードの内容が有効であるか否かを判定し有効である場合に、エレベータ制御装置が乗りかごを昇降させて訪問者を玄関階まで移動させるステップとを備える。
【発明の効果】
【００１５】
本発明によれば、これまで確保されてきたセキュリティ効果を一切損なうことなく、紛失、毀損しても簡易に再発行可能であり、なおかつ多人数での使用に対応できる鍵を使用したエレベータのセキュリティシステム及びその制御方法を提供することができる。
【図面の簡単な説明】
【００１６】
【図１】本発明の実施の形態に係るエレベータのセキュリティシステムの全体構成を示す全体図である。
【図２】本発明の実施の形態に係るエレベータ制御装置の内部構成を示すブロック図である。
【図３】本発明の実施の形態において訪問者が居住者を訪問する場合のエレベータのセキュリティシステムの制御方法を示すフローチャートである。
【図４】本発明の実施の形態において訪問者が居住者を訪問後退館する場合のエレベータのセキュリティシステムの制御方法を示すフローチャートである。
【図５】本発明の実施の形態において訪問者が居住者を訪問後退館する場合のエレベータのセキュリティシステムの制御方法を示すフローチャートである。
【発明を実施するための形態】
【００１７】
以下、本発明の実施の形態について図面を参照して詳細に説明する。
【００１８】
図１は、本発明の実施の形態に係るエレベータＥのセキュリティシステムＳの全体構成を示す全体図である。図１には、エレベータＥやセキュリティシステムＳを構成する各機器の他、このエレベータＥが設置される建物Ｂも含めて示している。
【００１９】
エレベータＥは、乗りかご１とこの乗りかごの運転を制御するエレベータ制御装置２とから構成されている。乗りかご１は、その一端を乗りかごに連結しその他端を図示しない釣り合い重りに連結するロープＲによって吊り下げられている。また、このロープＲは、図示しない巻上機に巻き掛けられている。エレベータ制御装置２からの信号に基づいて巻上機が回転することによって、乗りかご１は昇降路Ｈを上下に移動する。なお、本発明の実施の形態におけるエレベータＥには、釣り合い重りや巻上機の他、図示はしていないもののエレベータＥを運転するために必要な機器は当然に備えられている。
【００２０】
乗りかご１内には、乗りかご１に乗車した乗客が行き先階を指定する、いわゆるかご呼びを行うための行き先階操作盤１ａが設置されている。この行き先階操作盤１ａには、乗りかご１が停止可能な玄関階を含む居住階を示す行き先階ボタンや戸開ボタン、或いは戸閉ボタンが設置されている。
【００２１】
また、この行き先階操作盤１ａの近傍には、認証媒体に示される情報コードを読み取る情報コード読取機１５が設置されている。この情報コード読取機１５については、建物Ｂの他の場所に設置される情報コード読取機５と併せて後述する。なお、図１においては、行き先階操作盤１ａの側方に設置されているが、その設置位置は特に問わず、例えば、行き先階操作盤１ａ内に設けられていても良い。
【００２２】
エレベータ制御装置２は、エレベータＥの運転に関する情報を全て収集するとともに、これらの情報に基づいてエレベータＥの運転を制御するために、例えば、乗りかご１や巻上機等に指令の信号を送信する。従って、エレベータ制御装置２へ情報を送信する装置とエレベータ制御装置２から送信される情報を受信する装置との間は接続されている。但し、図１においてはそれらは全て省略され、ただエレベータ制御装置２を示すブロックに向けて、或いはこのブロックから出るように信号の流れを示す矢印が示されているだけである。
【００２３】
建物Ｂは、図１に示すように本発明の実施の形態においては、４階まで示されている。但し、建物Ｂが何階建てであるかについては何ら制限はない。１階は玄関階であり、この玄関階からエレベータＥ（乗りかご１）に乗り込まなければ、訪問者Ｖは基本的に２階以上の居住階へは行くことができないようにされている。
【００２４】
図１に示す建物Ｂにおいては、玄関階には居住者Ｉ、訪問者Ｖを問わず自由に出入りが可能な外玄関ＯＥと、居住者Ｉ、或いは、居住者Ｉの許可がある訪問者Ｖのみが出入りできる内玄関ＩＥとが設けられている。また、外玄関ＯＥ内であって内玄関ＩＥよりも外のスペースには、管理者ＢＭの駐在場所、いわゆる管理人室ＢＭＯが設けられている。なお、この管理人室ＢＭＯは、建物Ｂ内に設けられていても、或いは、別の場所に設けられていて遠隔に建物Ｂの管理を行うようにされていても良い。
【００２５】
なお、以下においては、便宜上、図１に示されている居住者Ｉが住む２階ないし４階の居住スペースを適宜居住スペースＬ２ないしＬ４と表わす（まとめて表わすときには、「居住スペースＬ」と表わす）。また、２階ないし４階、或いはそれ以上の階床をまとめて以下適宜、「居住階」と表わす。さらにここでは、各居住スペースＬが備えるエレベータのセキュリティシステムを構成する各機器は全く同じ構成であることを前提とする。そのため、以下本発明の実施の形態に関して説明の対象となる装置はいずれも同じ機能を備えている。
【００２６】
各階床に乗りかご１が着床しエレベータドアが戸開した場合には、その場所にエレベータホールＥＨが設けられている。各エレベータホールＥＨには、乗場呼びボタンＥＨａと後述するエレベータのセキュリティシステムを構成する各機器が設置されている。訪問者Ｖは、乗場呼びボタンＥＨａを押し下げて乗場呼びを行い、到着した乗りかご１に乗車して目的とする居住階へと移動する。この乗場呼びボタンＥＨａはそれぞれの居住階にも設置されている。居住スペースＬの乗場呼びボタンＥＨａは、乗りかご１に乗車して上階にも下階にも行くことができるので、上下方向のいずれにも行けるように２つの乗場呼びボタンＥＨａが設けられている。
【００２７】
ところで、玄関階となる１階には、建物Ｂへの訪問者Ｖが居住スペースＬの居住者Ｉと会話するためのインターフォンＩＦ０，ＩＦ１が設置されている。ここでインターフォンＩＦ０は、外玄関ＯＥと内玄関ＩＥとの間に設けられており、内玄関ＩＥ内、すなわち１階玄関階のエレベータホールＥＨ１に設けられているのがインターフォンＩＦ１である。インターフォンＩＦは、各階床のエレベータホールＥＨにも設けられている（インターフォンＩＦ２ないしインターフォンＩＦ４）。
【００２８】
インターフォンＩＦは、それぞれの居住スペースＬ内にも設置されている（インターフォンＩＦＬ２ないしインターフォンＩＦＬ４）。
【００２９】
さらに、玄関階、或いは、各エレベータホールＥＨには訪問者Ｖの様子を映像（静止画、動画のいずれか、或いはいずれも、でも良い）を取得するためのカメラＣが設置されている。このカメラＣによって撮影された訪問者Ｖの映像は、例えば、訪問先である居住者Ｉが見ることのできるモニタＭに映し出される。例えば、居住者Ｉは、このモニタＭをＯＮにすることによって、玄関階にいる訪問者Ｖの様子を確認することができる。また、同時にエレベータ制御装置２へと送信されて記憶される。従って、カメラＣは訪問者Ｖが立ち入る可能性のある場所に設置されていることから、図１には示していないが、乗りかご１内に設置されていても良い。
【００３０】
図１では、外玄関ＯＥ内であって内玄関ＩＥよりも外のスペースにカメラＣ０が、内玄関ＩＥ内を含む各階床のエレベータホールＥＨにカメラＣ１ないしＣ４が設けられている。但し、以下においては適宜これら全てのカメラをまとめて「カメラＣ」とも表わす。
【００３１】
居住スペースＬ内、玄関階、或いは、各エレベータホールＥＨには、情報コードＩＣが記載された認証媒体３を発行する情報コード発行機４が設置されている。ここで認証媒体３とは、居住者Ｉから訪問者Ｖに発行される媒体であり、例えば、紙等である。この認証媒体３上には、情報コードＩＣが記載（印刷）されている。情報コード発行機４は、この情報コードＩＣを紙等に印刷し、認証媒体３として訪問者Ｖへと発行する。
【００３２】
情報コードＩＣが示す情報としては、訪問者Ｖが居住者Ｉを訪問するに必要な条件が挙げられる。例えば、訪問先としてその立ち入りが許可される階床に関する情報、訪問日時、この認証媒体３が有効な時間、訪問回数等、いわば建物Ｂへの入退館に関する許可条件に関する情報である。
【００３３】
なお、情報コードＩＣとして認証媒体３上にどのような情報を示すかについては、自由に設定することができる。また、この情報コードＩＣの例としては、例えば、バーコードやＱＲコード（登録商標）等を挙げることができる。また、後述する情報コード読取機５が読み取ることができるのであれば、２次元の情報コードＩＣに限らず、例えば、３次元の情報コードであっても構わない。
【００３４】
この認証媒体３は、上述したように、訪問者Ｖが居住者Ｉから訪問する際、基本的にその都度発行されるものであり、その許可条件が情報コードＩＣとして印刷されるものであることから、訪問が終了すれば廃棄可能である。すなわち、許可条件を満たさなければ認証媒体３として使用することができないため、一定期間のみ利用可能であり使い捨てが可能である。
【００３５】
建物Ｂのセキュリティシステムの根幹となる鍵をこのような情報コードＩＣが記載された使い捨て可能な認証媒体３とすることによって、簡易に何度でも発行することができる。従って、例えば子供に持たせたとしても、紛失、毀損を心配することはなく、また、訪問者Ｖがある場合であっても容易に発行することができる。そのため、鍵が原因となる防犯上の漏れをなくすことができ、エレベータのセキュリティシステム、ひいては建物Ｂのセキュリティを十分に確保することができる。
【００３６】
図１では、外玄関ＯＥ内であって内玄関ＩＥよりも外のスペースに情報コード発行機４０が、内玄関ＩＥ内を含む各階床のエレベータホールＥＨに情報コード発行機４１ないし４４、居住スペースＬ内に情報コード発行機４Ｌ２ないし４Ｌ４が設けられている。但し、以下においては適宜これら全ての情報コード発行機をまとめて「情報コード発行機４」とも表わす。
【００３７】
また、情報コード発行機４による認証媒体３の発行については、発行者が任意の情報コード発行機４から発行させることができる。認証媒体３上に記載される情報コードＩＣについては、許可条件が居住者Ｉによって設定されるとともに、エレベータ制御装置２を介してそれぞれの情報コード発行機４へと送られる。例えば居住者Ｉが自室の情報コード発行機４から発行させて直接発行し訪問者Ｖに対して手交しても、或いは、遠隔操作によって居住スペースＬから情報コード発行機４０を介して訪問者Ｖへと発行しても良い。
【００３８】
なお、情報コード発行機４が実際に発行するのは情報コードＩＣが記載されている認証媒体３であるが、便宜上「情報コード」発行機４と表わしている。
【００３９】
認証媒体３上に示される情報コードＩＣは、情報コード読取機によって読み取られる。この情報コード読取機５は、情報コードＩＣの種類によって適した機器が選択され設置される。図１では、外玄関ＯＥ内であって内玄関ＩＥよりも外のスペースに情報コード読取機５０、玄関ＩＥ内を含む各階床のエレベータホールＥＨに情報コード読取機５１ないし５４、乗りかご１内に情報コード読取機１５が設けられている。但し、以下においては適宜これら全ての情報コード読取機をまとめて「情報コード読取機５」とも表わす。
【００４０】
情報コード読取機５によって読み取られた内容（情報）は、エレベータ制御装置２へと送信されて、乗りかご１の昇降等、エレベータのセキュリティシステムを制御する際に利用される。
【００４１】
居住スペースＬ、玄関階、或いは、各エレベータホールＥＨには、認証媒体３を発行する際に使用される入力装置が設置されている。例えば、居住者Ｉが訪問者Ｖに対して認証媒体３を発行する際にその許可条件を入力する場合に使用される。
【００４２】
図１では、外玄関ＯＥ内であって内玄関ＩＥよりも外のスペースに入力装置６０が、内玄関ＩＥ内を含む各階床のエレベータホールＥＨに入力装置６１ないし６４、居住スペースＬ内に入力装置６Ｌ２ないし６Ｌ４が設けられている。但し、以下においては適宜これら全ての入力装置をまとめて「入力装置６」とも表わす。図１では入力装置６がテンキーのように表わされているが、これは、例えば、タッチパネル式の装置であっても、単に、例えば、「発行ボタン」のような形式の装置であっても良い。
【００４３】
管理人室ＢＭＯには、上述した入力装置６、インターフォンＩＦ、及びモニタＭが設置されている。これらによって、例えば訪問者Ｖが居住者Ｉを訪問したにも拘わらず居住者Ｉの応答を受けることができなかった場合に、訪問者Ｖに対して建物Ｂからの退館に必要な認証媒体３を発行することができる。
【００４４】
図１においては、上述した情報コード発行機４、情報コード読取機５、入力装置６、インターフォンＩＦ及びカメラＣの各機器は、まとめてあたかも１つの装置のように示されているが、その設置レイアウトは自由である。また、上述したように、いずれの場所にどのような機器が設置されているか各々説明したが、建物Ｂの性質によっては、それぞれの場所に設置される機器の種類や数量が異なることもありうるのは当然である。
【００４５】
エレベータ制御装置２は、上述したように、例えば、乗場呼び、或いはかご呼びに応答して巻上機を駆動し乗りかご１の運転制御を行う。図２は、エレベータ制御装置２の内部構成を示すブロック図である。エレベータ制御装置２は、エレベータＥやエレベータのセキュリティシステムＳを構成する各機器からの信号を受け付ける受信部２１と、セキュリティシステムＳを制御する比較・判断部２２と、許可条件や訪問者Ｖの動向を記憶する記憶部２３と、送信部２４とから構成される。
【００４６】
なお、図２に示すブロック図では、エレベータ制御装置２のうち、本発明の実施の形態を説明するために必要とされる機能のみを示している。従って、例えば、巻上機等、乗りかご１を昇降させるに必要な各駆動機器を駆動させるための駆動部等については、その説明、図示を省略している。
【００４７】
次に、エレベータＥのセキュリティシステムＳの制御の流れについて、図３ないし図５に示すフローチャートを利用して以下、説明する。なお、図３は、訪問者Ｖが建物Ｂに入館して居住者Ｉを訪問するまでの流れを示し、図４は、訪問者Ｖが居住者Ｉの訪問を終え、建物Ｂから退館するまでの流れを示している。また、便宜的に、訪問者Ｖは３階に住む居住者Ｉ３を訪問することとする。
【００４８】
まず、訪問者Ｖが建物Ｂに住む居住者Ｉを訪問する場合のセキュリティシステムＳの制御の流れについて図３のフローチャートを利用して説明する。ここでは、居住者Ｉは事前に訪問者Ｖが訪問することを認識している場合を例に挙げる。従って、居住者Ｉがその訪問を望んでいない場合、例えば、飛び込みの営業を行う訪問者等については想定していない。
【００４９】
訪問者Ｖは、建物Ｂの外玄関ＯＥから入館する。この外玄関ＯＥに対してはセキュリティシステムＳは機能しておらず、上述したように基本的にいずれの者も立ち入ることができる。外玄関ＯＥから入館した訪問者Ｖは、内玄関ＩＥとの間に設置されている情報コード発行機４０の前まで移動する。ここで、この訪問者Ｖに対して事前に暗証番号が付与されているか否かが判断される（ＳＴ１）。これは訪問者Ｖが入力装置６０を操作したか否かによって判断される。
【００５０】
ここでの暗証番号の付与とは、以下のことを表わしている。すなわち、訪問者Ｖが建物Ｂ内に入館する場合には、訪問先である居住者Ｉの許可を得る必要がある。一般的にこの許可は、訪問者Ｖが居住者ＩとインターフォンＩＦ等を使用して実際に連絡を取ることで許可を受ける場合が多い。但し、宅配業者や郵便局員等のように、建物Ｂ内の居住者Ｉを頻繁に、或いは定期的に訪問する者も存在し、これらの者にとってはその都度居住者Ｉからの許可を取得して入館するのは煩雑な場合も多い。
【００５１】
そこで、このような者に対しては、居住者Ｉと連絡を取ることなく入館できるように予め居住者Ｉから許可を付与しておくと便利である。但し、この暗証番号の付与は、あくまでも入館時に居住者Ｉとの直接の連絡を省略して入館に際して使用される情報コードＩＣを記載した認証媒体３（以下、適宜このような認証媒体を「入館用の認証媒体３」と表わす。）を発行するためのものであり、自由に建物Ｂ内に立ち入ることができるものではない。
【００５２】
このように事前に暗証番号の付与を受けている訪問者Ｖは、入力装置６０を使用して暗証番号を入力し、情報コード発行機４０から入館の許可条件を示す情報コードＩＣが記載された入館用の認証媒体３の発行を受ける（ＳＴ２）。すなわち、入力装置６０を介して入力が行われた場合、エレベータ制御装置２は、比較・判断部２２において入力された暗証番号を記憶部２３内に記憶されている暗証番号と一致するものであるか否かを確認する。この暗証番号は、許可条件と紐付けがなされており、入力された暗証番号に合致する許可条件を情報コードＩＣとして情報コード発行機４０から発行させる。
【００５３】
一方、このように事前に暗証番号が付与されていない訪問者Ｖは、通常通りインターフォンＩＦ０を利用して訪問先の居住者Ｉ３に対して直接入館の許可を求める。居住者Ｉ３は、自室のモニタＭＬ３においてカメラＣ０によって映し出された訪問者Ｖの様子（予定の訪問者Ｖであるか否か）を確認して入館の許可を出す。具体的には、入力装置６Ｌ２を介して情報コード発行機４０から決められた情報コードＩＣが印刷されている入館用の認証媒体３が発行される（ＳＴ３）。
【００５４】
上述したいずれかの方法に基づいて情報コードＩＣが示された入館用の認証媒体３を入手した訪問者Ｖは、その情報コードＩＣを情報コード読取機５０にかざす。情報コード読取機５０では、かざされた情報コードＩＣを読み込み（ＳＴ４）、その読み込んだ情報コードＩＣの内容をエレベータ制御装置２へと送信する。
【００５５】
エレベータ制御装置２では、比較・判断部２２が送信されてきた情報コードＩＣの内容と事前に記憶部２３に登録されている入館の許可条件を引き出し、両者を比較して情報コードＩＣが認証できるものであるか否かを判断する（ＳＴ５）。
【００５６】
判断の結果、両者の条件が一致せず、送信されてきた情報コードＩＣを認証できない場合には（ＳＴ５のＮＯ）、例えば、インターフォンＩＦを介し訪問者Ｖに対して再度の情報コードＩＣ（入館用の認証媒体３）の発行を受けるよう促す（ＳＴ６）。
【００５７】
一方、情報コードＩＣの内容を認証できた場合には（ＳＴ５のＹＥＳ）、比較・判断部２２は、内玄関ＩＥのドアを開くよう指示する（ＳＴ７）。これによって、訪問者Ｖは内玄関ＩＥの内部、すなわち玄関階のエレベータホールＥＨ１まで進むことができる。
【００５８】
玄関階のエレベータホールＥＨ１に進んだ訪問者Ｖは、さらにエレベータホールＥＨ１に設けられている情報コード読取機５１に再度発行された入館用の認証媒体３をかざし読み取らせる（ＳＴ８）。
【００５９】
情報コード読取機５１が情報コードＩＣを読み込むと、その情報コードＩＣはエレベータ制御装置２へと送信され、比較・判断部２２においてその情報コードＩＣを認証できるか否か、判断される（ＳＴ９）。ここでも判断の結果、両者の条件が一致せず、送信されてきた情報コードＩＣを認証できない場合には（ＳＴ９のＮＯ）、例えば、インターフォンＩＦを介し訪問者Ｖに対して再度の入館用の認証媒体３の発行を受けるよう促す（ＳＴ６）。
【００６０】
情報コードＩＣの内容を認証できた場合には（ＳＴ９のＹＥＳ）、比較・判断部２２は、乗りかご１を玄関階へと移動させるとともに、玄関階到着後戸開させるよう乗りかご１に指示する（ＳＴ１０）。これで玄関階のエレベータホールＥＨ１にいる訪問者Ｖに対して訪問先である居住者Ｉの居住階へ移動するための乗りかご１が手配されたことになる。
【００６１】
乗りかご１に乗り込んだ訪問者Ｖは、さらに乗りかご１内に設置されている情報コード読取機１５に認証媒体３をかざす。情報コード読取機１５は、この認証媒体３に示されている情報コードＩＣを読み込むとともに（ＳＴ１１）、エレベータ制御装置２へその情報を送信する。
【００６２】
比較・判断部２２において送信された情報コードＩＣを認証できるか否か、判断される（ＳＴ１２）。判断の結果、両者の条件が一致せず、送信されてきた情報コードＩＣを認証できない場合には（ＳＴ１２のＮＯ）、比較・判断部２２は戸開状態を維持するよう指示するとともに（ＳＴ１３）、例えば、インターフォンＩＦを介し訪問者Ｖに対して再度の入館用の認証媒体３の発行を受けるよう促す（ＳＴ６）。
【００６３】
情報コードＩＣの内容を認証できた場合には（ＳＴ１２のＹＥＳ）、比較・判断部２２は、訪問者Ｖのかご呼び登録を受け付けるとともに、乗りかご１に対して戸閉するよう指示する（ＳＴ１４）。そして訪問者Ｖが訪問する居住者Ｉが住む居住階（３階）へと乗りかご１を移動させるよう乗りかご１に指示する（ＳＴ１５）。以上で訪問者Ｖが居住者Ｉを訪問する際の手順は終了である。
【００６４】
次に、訪問者Ｖが建物Ｂに住む居住者Ｉへの訪問を終了し建物Ｂから退館する場合のセキュリティシステムＳの制御の流れについて図４、図５のフローチャートを利用して説明する。本発明の実施の形態においては、建物Ｂへの入館の際と同様、退館時にも退館に関する情報が示されている情報コードが記載された認証媒体３（以下、便宜上「退館用の認証媒体３」と表わす。）を利用して訪問者Ｖを退館させることによってセキュリティの確保を図っている。
【００６５】
図３に示すステップＳＴ１５において、訪問者Ｖは乗りかご１に乗車して居住者Ｉが住む居住階へと移動している。居住階に到着した訪問者Ｖは、乗りかご１から降車して居住者Ｉの住む居住スペースＬ３へと移動する。そこで、訪問者Ｖに対して居住者Ｉが応答したか否かによって、訪問者Ｖが建物Ｂを退館するまでの流れが異なってくる。これは、本発明の実施の形態においては、訪問者Ｖに応答した居住者Ｉから退館に関する情報コードが記載された認証媒体３を受領することを前提としているからである。以下、訪問者Ｖに対して居住者Ｉが応答したか否か（ＳＴ２１）に従って順次説明する。
【００６６】
まず、訪問者Ｖに対して居住者Ｉが応答した場合である（ＳＴ２１のＹＥＳ）。この場合、訪問者Ｖは自身が退館する上で必要となる退館用の認証媒体３をその退出時に居住者Ｉから受領しなければならない。そこで、居住者Ｉは自室の情報コード発行機４Ｌ３から退館用の認証媒体３を発行する。指示を受けた情報コード発行機４Ｌ３は、指示された内容を表わす情報コードＩＣを記載した退館用の認証媒体３を発行する（ＳＴ２２）。
【００６７】
ここで指示内容としては、例えば、訪問者Ｖが居住者Ｉの居住スペースＬを辞した時間を挙げることができる。この情報コードＩＣは、退館用の認証媒体３発行に使用されるとともに、エレベータ制御装置２へと送信され、記憶部２３に記憶される。
【００６８】
退館用の認証媒体３を受領した訪問者Ｖは、居住階のエレベータホールＥＨに設置されている情報コード読取機５に退館用認証媒体３に記載されている情報コードをかざす。情報コードを読み取った情報コード読取機５は（ＳＴ２３）、読み取った情報をエレベータ制御装置２へその内容を送信する。
【００６９】
比較・判断部２２において送信された情報コードＩＣを認証できるか否か、判断される（ＳＴ２４）。判断の結果、両者の条件が一致せず、送信されてきた情報コードＩＣを認証できない場合には（ＳＴ２４のＮＯ）、訪問者Ｖは居住者Ｉに対して再度の退館用の認証媒体３の発行を依頼するよう促す（ＳＴ２２）。
【００７０】
情報コードＩＣの内容を認証できた場合には（ＳＴ２４のＹＥＳ）、比較・判断部２２は、乗りかご１を居住階へと移動させるとともに、居住階到着後戸開させるよう乗りかご１に指示する（ＳＴ２５）。これで居住階のエレベータホールＥＨ３にいる訪問者Ｖに対して玄関階へ移動するための乗りかご１が手配されたことになる。
【００７１】
乗りかご１に乗り込んだ訪問者Ｖは、さらに乗りかご１内に設置されている情報コード読取機１５に退館用の認証媒体３をかざす。情報コード読取機１５は、この退館用の認証媒体３に示されている情報コードＩＣを読み込むとともに（ＳＴ２６）、エレベータ制御装置２へその情報を送信する。
【００７２】
比較・判断部２２において送信された情報コードＩＣを認証できるか否か、判断される（ＳＴ２７）。判断の結果、両者の条件が一致した場合には、訪問者Ｖによるかご呼びを登録するとともに戸閉するよう乗りかご１に指示する（ＳＴ２８）。そして、乗りかご１を玄関階へと移動させる（ＳＴ２９）。
【００７３】
一方、比較・判断部２２が判断した結果、両者の条件が一致しない場合には、訪問者Ｖは再度居住者Ｉから退館用の認証媒体３の発行を受ける必要がある。従って居住者Ｉの応答によってその対応が異なる（ＳＴ３０）。
【００７４】
居住者Ｉが訪問者Ｖに応答した場合には（ＳＴ３０のＹＥＳ）、改めて退館用の認証媒体３の発行を受ける（ＳＴ２２）。訪問者Ｖは、新たに発行された退館用の認証媒体３を利用して、上述したステップＳＴ２３以下の手順を踏んで建物Ｂから退館する。
【００７５】
一方、訪問者Ｖの訪問に対して居住者Ｉが応答しなかった場合には（ＳＴ３０のＮＯ）、比較・判断部２２は、乗りかご１に対して戸開状態を維持するように指示する（ＳＴ３１）。
【００７６】
次に、建物Ｂ内に入館したものの、何らかの理由で居住者Ｉが応答しなかった場合の訪問者Ｖの退館の流れについて、以下図５に示すフローチャートを利用して説明する。このように居住者Ｉが訪問者Ｖの応答をしない場合としては、例えば、訪問者Ｖの入館を許可したものの、家事や育児等の理由で訪問者Ｖが実際に自室の戸口に来た場合に応答できない場合が考えられる。
【００７７】
また、建物Ｂに頻繁に出入りする訪問者Ｖであれば、上述したように、予め居住者Ｉから暗証番号等を付与されている場合がある。この場合、訪問者Ｖは、内玄関ＩＥの外側に設置されている入力装置６０を利用して自分自身で入館用の認証媒体３を発行する。従って、この場合は、玄関階における居住者Ｉとの応答によって認証媒体３が発行される場合と異なり、訪問先となる居住スペースＬに目的の居住者Ｉが在室しているか否かは関係なく認証媒体３が発行されることになる。このような状態で居住者Ｉを訪問しても不在である場合は考えられることである。そこで、以上述べたような状態に訪問者Ｖが遭遇した場合のセキュリティの確保について説明する。
【００７８】
なお、上記以外に、居住者Ｉからの許可を受けずに入館した者（不審者）の対応についても以下説明する。
【００７９】
上述したように、基本的に想定しているのは、建物Ｂに入館したものの居住者Ｉから退館用の認証媒体３が発行されない場合である（図４のＳＴ２１のＮＯ、或いは、ＳＴ３１を参照）。この場合、訪問者Ｖは退館用の認証媒体３を発行してもらうべく、建物Ｂの管理者ＢＭに対して連絡を取り事情を説明する（ＳＴ４１）。
【００８０】
連絡を受けた管理者ＢＭは、記憶部２３に記録されている訪問者Ｖの入館時、或いは、入館後の言動を確認する（ＳＴ４２）。すなわち、上述したように、訪問者Ｖが居住者Ｉと連絡を取った内容や、情報コード読取機が設置されている各設置場所において読み取られた情報コードＩＣの内容等は全て記憶部２３に記録されている。そこで、連絡してきた訪問者Ｖに該当する記録を記憶部２３から全て抽出し、比較・判断部２２が確認する。
【００８１】
例えば、本発明の実施の形態においては上述したように居住者Ｉを訪問するまでの間に訪問者Ｖは認証媒体３を３度情報コード読取機５にかざす。すなわち、正常状態であれば情報コード読取機５０，５１，１５の全てにおいて情報コードＩＣの読み取りがなされることになるが、これらのいずれか１カ所でもその読み取りがなされていない場合には、比較・判断部２２は、訪問者Ｖが不正な状態で建物Ｂ内に入館している、と判断できる。
【００８２】
このような場合には、比較・判断部２２は連絡してきた訪問者Ｖが不審者に該当すると判断し（ＳＴ４３のＹＥＳ）、通報する（ＳＴ４４）。これによって、建物Ｂにおけるセキュリティは確保される。
【００８３】
一方、比較・判断部２２が確認をした結果、訪問者Ｖを不審者とは認定できなかった場合、すなわち、正常に建物Ｂに入館したものの居住者Ｉから退館用の認証媒体３が発行されない場合には（ＳＴ４３のＮＯ）、管理者ＢＭから訪問者Ｖが現在位置する近傍に設置されている情報コード発行機４を介して退館用の認証媒体３が発行される（ＳＴ４５）。退館用の認証媒体３を発行された訪問者Ｖは、その退館用の認証媒体３を利用して、上述した退館の流れに沿って建物Ｂから退館する（図４のＳＴ２３以下）。
【００８４】
以上説明したように、訪問者Ｖに使い捨て可能な入退館用の認証媒体を発行することによって、これまで確保されてきたセキュリティ効果を一切損なうことなく、紛失、毀損しても簡易に再発行可能であり、なおかつ多人数での使用に対応できる鍵を使用したエレベータのセキュリティシステム及びその制御方法を提供することができる。
【００８５】
なお、この発明は、上記実施の形態そのままに限定されるものではなく、実施段階ではその要旨を逸脱しない範囲で構成要素を変形して具体化できる。例えば、本発明の実施の形態においては、訪問者が居住者を訪問する場合の訪問者に対して認証媒体が発行される場合を例に挙げてセキュリティシステムを説明しているが、このセキュリティシステムの運用に当たっては居住者を対象とすることも可能である。すなわち、例えば、居住者が鍵を忘れて退館後、再度建物に入館する場合である。
【００８６】
さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【符号の説明】
【００８７】
１  乗りかご
２  エレベータ制御装置
３  認証媒体
４  情報コード発行機
５  情報コード読取機
６  入力装置
２１  受信部
２２  比較・判断部
２３  記憶部
２４  送信部
Ｃ  カメラ
ＢＭ  管理人
Ｅ  エレベータ
ＥＨ  エレベータホール
Ｈ  昇降路
Ｉ  居住者
ＩＣ  情報コード
ＩＥ  内玄関
ＩＦ  インターフォン
Ｌ  居住スペース
Ｍ  モニタ
ＯＥ  外玄関
Ｓ  セキュリティシステム
Ｒ  ロープ
【図１】
2011153002.tif 000003
【図２】
2011153002.tif 000004
【図３】
2011153002.tif 000005
【図４】
2011153002.tif 000006
【図５】
2011153002.tif 000007